(57)【要約】【課題】大容量の記憶ディバイスに記憶された音響情報や画像情報等の記憶情報から簡単に最適な記憶情報を選択して再生操作することを可能とする。【解決手段】少なくとも地図情報と音響情報や画像情報からなる多数の記憶情報とこれら記憶情報の再生順序を制御する再生制御情報とが大容量の情報記録特性を有する記憶手段１２に記憶されるとともに、各座席に搭乗者を識別して搭乗者情報を出力する座席情報検出手段６を設けてなり、再生処理手段１０において搭乗者情報と再生制御情報とに基づいて記憶手段１２から所定の記憶情報を選択して再生操作を行う。【選択図】  図３
2004340884.tif 000002
【特許請求の範囲】
【請求項１】
地図情報と、音響情報や画像情報を有する記憶情報と、これら記憶情報の再生順序を制御する再生制御情報とを記憶する記憶手段と、
上記地図情報を再生する地図情報再生モードと、上記記憶情報を再生する記憶情報再生モードであり手動選択モードと自動選択モードとに切換可能な記憶情報再生モードと、放送を受信する放送受信モードとについて選択的に設定を行う再生モード設定手段と、
上記地図情報再生モードの設定状態において衛星通信を介して取得した自車位置情報に基づいて上記記憶手段から選択された上記地図情報を再生し、上記記憶情報再生モードの設定状態において上記記憶手段から選択された所定の記憶情報を再生する再生処理手段と、
スピーカや表示器を備え、上記再生処理手段によって再生された上記地図情報や上記記憶情報或いは受信放送を出力する出力手段と、
各座席毎に設けられてそれぞれの座席に座る搭乗者を識別する搭乗者情報を上記再生処理手段に出力する搭乗者検出手段と、
上記各手段の動作制御を行う制御手段とを備え、
上記記憶情報の再生操作が、上記再生処理手段において上記座席情報検出手段によって検出された上記搭乗者情報と上記搭乗者を規定する上記再生制御情報に基づいて上記記憶手段から所定の上記記憶情報を選択して再生操作を行い、上記出力手段から出力することにより行われることを特徴とする車載情報再生装置。
【請求項２】
上記記憶手段に、複数のユーザによってそれぞれに編集された複数の情報を有する上記記憶情報と、ユーザ情報や編集情報を含む上記再生制御情報とが記憶され、
上記記憶情報の再生操作が、上記搭乗者検出手段によって検出された上記搭乗者情報の座席位置情報に基づいて、予め定めた優先順位の座席位置にしたがって上記ユーザ情報や編集情報を単位として上記記憶情報からグループ分けされた所定の記憶情報を自動選択して、上記再生手段によって順次再生することによって行われることを特徴とする請求項１に記載の車載情報再生装置。
【請求項３】
地図情報と、音響情報や画像情報を有する記憶情報と、これら記憶情報の再生順序を制御する再生制御情報とを記憶する記憶手段と、
上記地図情報を再生する地図情報再生モードと、上記記憶情報を再生する記憶情報再生モードであり手動選択モードと自動選択モードとに切換可能な記憶情報再生モードと、放送を受信する放送受信モードとについて選択的に設定を行う再生モード設定手段と、
上記地図情報再生モードの設定状態において衛星通信を介して取得した自車位置情報に基づいて上記記憶手段から選択された上記地図情報を再生し、上記記憶情報再生モードの設定状態において上記記憶手段から選択された所定の記憶情報を再生する再生処理手段と、
スピーカや表示器を備え、上記再生処理手段によって再生された上記地図情報や上記記憶情報或いは受信放送を出力する出力手段と、
各座席毎に設けられてそれぞれの座席に座る搭乗者を識別する搭乗者情報を上記再生処理手段に出力する搭乗者検出手段と、
上記各手段の動作制御を行う制御手段とを備える車載情報処理装置が用いられて、上記再生モード設定手段により上記記憶情報を再生する記憶情報再生モードを自動選択モードに設定して行われる上記記憶情報の再生操作が、
上記搭乗者検出手段によって各座席に座った搭乗者を識別し、上記再生処理手段に対して上記搭乗者情報を出力する処理と、
上記再生処理手段において、上記搭乗者情報と上記再生制御情報とに基づいて上記記憶手段から所定の上記記憶情報を選択して再生操作を行う処理と、
再生された上記記憶情報を上記出力手段から出力する処理と
を経て行うことを特徴とする車載情報再生装置における記憶情報再生方法。
【発明の詳細な説明】
【０００１】
【発明の属する技術分野】
本発明は、地図情報や音声或いは音楽等の音響情報や映像情報等の各種情報を記録可能なハードディスク等の大容量記憶ディバイスを備え、カーナビゲーション機能やカーオーディオ機能、テレビモニタ機能等の複合機能を搭載した車載情報再生装置及びその記憶情報の再生方法に関する。
【０００２】
【従来の技術】
自動車には、ほとんどの車種にチューナ一体型のカーオーディオ装置が標準装備されるとともに、テレビジョン受像機やカーナビゲーション装置が標準装備或いはオプションで搭載されて使用されている。カーオーディオ装置は、ラジオ放送等を受信するとともに、例えば音響情報等を記憶したメモリカード、テープカセット、光ディスク或いはディスクカートリッジ等の記録媒体をそれぞれ使用することが可能である。
【０００３】
また、カーナビゲーション装置は、ＧＰＳ（Ｇｌｏｂａｌ  Ｐｏｓｉｔｉｏｎｉｎｇ  Ｓｙｓｔｅｍ）信号の受信システム及び自立航行センサと、地図情報を記憶した光ディスクや記憶素子等の記録媒体と、モニタ等から構成される。カーナビゲーション装置は、衛星からの位置信号と自立航行センサとによって現在位置を求め、その地図情報を記録媒体から取り出して液晶表示器等のモニタに表示するとともにスピーカから必要な音声ガイドが行われるようにする。なお、カーナビゲーション装置は、テレビ放送受信機能を搭載して、モニタにより番組放送を視聴することも可能なものが多い。
【０００４】
ところで、カーオーディオ装置やカーナビゲーション装置等の車載電子装置においては、情報信号等の圧縮記録のフォーマットにもよるが、従来記録媒体として一般に用いられているＣＤ（Ｃｏｍｐａｃｔ  Ｄｉｓｃ）の数千枚分の情報記録が可能なハードディスクや各種光ディスク等の記録媒体を用いた大容量記憶装置を付設したものが提供されている。かかる車載電子装置は、記録媒体等を頻繁に交換操作することを不要として多くの音響情報や画像情報を視聴することが可能となり、また広域の地図情報を利用することが可能となる。車載電子装置は、大容量記憶装置を備えることによって、カーオーディオ機能とカーナビゲーション機能を備えた複合化装置を実現することを可能とする。
【０００５】
一方、自家用車等においては、家族がそろってドライブ旅行等をする場合に、例えば運転席に父親、助手席に母親、後部座席に子供達といったように、一般に家族が決まった座席に座ることが多い。車載電子装置は、例えばカーナビゲーション装置が主として運転手の父親やナビゲータ役の母親によって操作されるとともに、カーオーディオ装置やテレビジョン受像機が後部座席の子供達に合わせた内容のコンテンツを再生するように利用されることが多い。したがって、車載電子装置においては、搭乗者の座席位置の情報に基づいて、その動作制御を行うようにすれば、煩わしい切換操作やコンテンツの選択操作等が不要となり、使い勝手の向上が図られるようになる。
【０００６】
なお、例えば特許文献１乃至特許文献５には、それぞれ座席位置による車載電子装置の制御技術の一例として、多チャンネルサラウンドカーオーディオ装置において搭乗者の座席位置の状況に基づいて車内を最適な音場に調整する技術が開示されている。また、特許文献６には、座席に設置した装置からのディスプレイの取り出しを検出して、このディスプレイにチャンネルガイドを表示する技術が開示されている。
【０００７】
【特許文献１】
特開２００１−３７０００号公報
【特許文献２】
特開昭５９−２２５７００号公報
【特許文献３】
特開平３−２５８２００号公報
【特許文献４】
特開昭６２−１８８９８号公報
【特許文献５】
特開昭６０−１１０５４６号公報
【特許文献６】
特開平２−１７９５６７号公報
【０００８】
【発明が解決しようとする課題】
ところで、上述した大容量記録が可能な記憶装置を備えた車載電子装置においては、例えば家族がそれぞれにお気に入りの大量のコンテンツ等を記憶装置に記録して記憶させて利用することが可能であり、またアーティスト別或いはジャンル別等の識別情報を付加して独自のアルバム化を図ることも可能であり、車内での新たな使用形態を創出することが可能である。かかる車載電子装置においては、例えば運転手が一人の場合には、面倒な記録媒体等の交換操作を不要としてお気に入りのコンテンツを連続して楽しむことが可能であり、また同乗者がいる場合にはそれぞれのお気に入りのコンテンツを視聴することが可能となる。
【０００９】
しかしながら、かかる車載電子装置においては、搭載した自動車を多くの人が共用する場合に、例えば大量のコンテンツが記憶された記憶装置からそれぞれの利用者が独自にアルバム化を図った所定のコンテンツを選択する操作が極めて面倒となってしまう。かかる車載電子装置においては、例えば家族がそろってドライブ旅行等をする場合等において、それぞれが独自に作成したアルバムの再生要求が高く子供達の争いの原因ともなるために頻繁にアルバムの切換操作やコンテンツの選択操作が行われる。この切換操作や選択操作は、一般に運転者によって行われるために、運転の負担となる。
【００１０】
出願人は、複合機能化を図った新規な車載電子装置において、上述した新規な使用形態がより効率的に発揮されるべく検討を重ね、上述した多チャンネルサラウンドカーオーディオ装置における座席位置に基づく音場調整の制御技術に着目するに至った。複合機能化を図った新規な車載電子装置によれば、記憶装置にコンテンツを自由に記憶してアルバム作成を行った者と自動車に乗る者とがほとんど同一の範囲であるとともに座る位置もほぼ決まっている場合が多いことから、座席位置の情報に基づいて記憶装置に記憶されたコンテンツの選択操作が自動的に行われるようにすることで選択操作の負担が軽減されるようになる。
【００１１】
したがって、本発明は、大容量の記憶ディバイスに記憶された音響情報や画像情報等の記憶情報から搭乗者の座席情報に基づいて最適な記憶情報を自動的に選択して再生操作することも可能とする車載情報再生装置及びその記憶情報の再生方法を提供することを目的に提案されたものである。
【００１２】
【課題を解決するための手段】
上述した目的を達成する本発明にかかる車載情報再生装置は、記憶手段と、再生モード設定手段と、再生手段と、出力手段と、搭乗者検出手段と、制御手段とを備えて構成される。車載情報再生装置は、ＣＰＵ（Ｃｅｎｔｒａｌ  Ｐｒｏｃｅｓｓｉｎｇ  Ｕｎｉｔ）等を有する制御手段に対して各手段から所定の信号が出力されるとともに、制御手段から各手段に対して所定の制御信号が出力されることによって、各手段の制御動作が行われる。車載情報再生装置は、記憶手段が大容量の情報記録特性を有するハードディスクや各種の光ディスクによって構成され、少なくとも地図情報と、音響情報や画像情報等を有する多数の記憶情報と、これら記憶情報の再生順序を制御する再生制御情報とを記録して記憶する。
【００１３】
車載情報再生装置は、再生モード設定手段により、地図情報再生モードと、手動選択モードと自動選択モードとを有する記憶情報再生モードと、ラジオ放送やテレビ放送等を受信する放送受信モードとに切り換える設定操作が行われる。車載情報再生装置は、地図情報再生モードに設定した状態において、再生処理手段が、人工衛星からのＧＰＳ信号と自立航行センサからの検出信号とに基づいて取得した自車位置情報に基づいて記憶手段から選択された所定の地図情報や音声ガイド情報を再生する。
【００１４】
車載情報再生装置は、記憶情報再生モードの設定状態において、再生処理手段が、記憶手段から手動又は自動的に選択された所定の音響情報或いは画像情報等の記憶情報を再生する。車載情報再生装置は、出力手段が、車内に適宜設置されたスピーカや表示器によって構成され、ラジオ放送やテレビ放送等を出力するとともに、再生処理手段から出力される再生情報に基づいて所定の地図情報や音声ガイド情報或いは所定の音響情報や画像情報をスピーカから出力しかつ表示器に表示する。車載情報再生装置は、搭乗者検出手段が、車内の各座席毎にそれぞれ設けられた複数の座席センサ、例えば感圧センサや赤外線センサによって構成され、各座席に座った搭乗者を識別して得られる搭乗者情報を、制御手段を介して再生処理手段へと出力する。
【００１５】
以上のように構成された本発明にかかる車載情報再生装置によれば、地図情報再生モードに設定して用いることによって、自動車の走行に伴って表示器に現在地の地図を表示するとともに適宜の音声ガイドを行ったり、目的地のルート表示を行う等のカーナビゲーション機能が奏される。車載情報再生装置によれば、放送受信モードに設定して用いることによって、ラジオ放送やテレビ放送等を受信してスピーカや表示器から出力する。
【００１６】
車載情報再生装置によれば、記憶情報再生モードに設定して用いることによって、記憶手段に記憶された記憶情報の再生操作が行われる。車載情報再生装置によれば、記憶情報再生モードを手動選択モードに設定することにより、任意の記憶情報が選択されて再生操作が行われてスピーカや表示器から出力が行われる。車載情報再生装置によれば、記憶情報再生モードを自動選択モードに設定することにより、座席情報検出手段によって検出された搭乗者情報が制御手段を介して再生処理手段に出力される。車載情報再生装置によれば、搭乗者情報によって規定された再生制御情報に基づいて記憶手段から所定の記憶情報が自動選択され、再生処理手段によって所定の順序で再生操作が行われてスピーカや表示器から出力が行われる。
【００１７】
車載情報再生装置によれば、便利なカーナビゲーション機能によって効率のよいドライブを行うことを可能とするとともに、カーオーディオ機能等により記憶情報等が出力されて快適なドライブを行うことを可能とする。車載情報再生装置によれば、搭乗者が煩わしい選択操作の手間を大幅に軽減されて、座席情報に基づいて記憶手段に記憶した大量の記憶情報から所定の記憶情報を優先的に選択して再生することを可能とする。車載情報再生装置によれば、例えば家族がそれぞれの好みに応じて各種のコンテンツを適宜アルバム化して記憶手段に記憶しておいた場合に、ドライブ旅行等において搭乗者情報から選択操作を不要として所望のコンテンツを順次視聴することを可能とする。
【００１８】
また、上述した目的を達成する本発明にかかる車載情報再生装置における記憶情報再生方法は、上述した車載情報再生装置が用いられ、再生モード設定手段により記憶情報再生モードの自動選択モードに設定した状態における再生操作が、搭乗者検出手段によって各座席に座った搭乗者を識別して再生処理手段に対して搭乗者情報を出力する処理と、再生処理手段において搭乗者情報に基づいて再生制御情報を規定して記憶手段から記憶情報を自動選択して再生を行う処理と、再生された記憶情報を出力手段から出力する処理とを経て行われる。
【００１９】
以上の処理を行う本発明にかかる車載情報再生装置における記憶情報再生方法によれば、便利なカーナビゲーション機能によって効率のよいドライブを行うことを可能とするとともに、カーオーディオシステム機能等により快適なドライブを行うことを可能とする。記憶情報再生方法によれば、搭乗者が煩わしい選択操作の手間を大幅に軽減されて記憶手段に記憶した多数の記憶情報から所定の記憶情報を選択することを可能とする。記憶情報再生方法によれば、例えば家族がそれぞれの好みに応じて各種のコンテンツを適宜アルバム化して記憶手段に記憶しておいた場合に、ドライブ旅行等において搭乗者情報から選択操作を不要として所望のコンテンツを順次視聴することを可能とする。
【００２０】
【発明の実施の形態】
以下、本発明の実施の形態として図面に示したカーナビゲーション・カーオーディオシステム装置（以下、単にカーナビ・カーステ装置と略称する。）１について詳細に説明する。カーナビ・カーステ装置１は、図１及び図２に示すように自動車２に搭載されて従来単体装置として構成されていたカーナビゲーション装置と、カーオーディオ装置と、テレビ受信装置及びビデオ再生装置と同等の複合機能を奏する。
【００２１】
カーナビ・カーステ装置１は、図３に示すように、本体部３と、この本体部３と接続されて車内の適宜の位置に設置されて音響情報や音声情報等を出力するスピーカ４及び映像情報等を出力するモニタ５と、各座席にそれぞれ設置された座席センサ６Ａ乃至６Ｄ（以下、個別に説明する場合を除いて、座席センサ６と代表して表現する。）とを備えて構成される。カーナビ・カーステ装置１には、例えばメモリーカード、テープカセットや光ディスク或いは光ディスクカートリッジ等の適宜の記録媒体７が装填され、この記録媒体７に記憶された音響情報等を再生してスピーカ４やモニタ５により視聴することを可能とする。
【００２２】
カーナビ・カーステ装置１は、詳細を後述するように従来の光ディスクの数千枚分に相当する大量の音楽情報や映像情報を記憶することが可能であり、これらの記憶情報を選択して再生してスピーカ４やモニタ５によって視聴することが可能である。カーナビ・カーステ装置１は、第１のアンテナ８によってラジオ放送やテレビ放送等の放送電波或いは適宜の配信情報を受信し、この受信情報をスピーカ４やモニタ５によって出力する。カーナビ・カーステ装置１は、第２のアンテナ９によって衛星からのＧＰＳ信号を受信し、このＧＰＳ信号と自動車２に設けた適宜の自立航行センサからの出力とによって自車位置の認識処理を行い、モニタ５に地図表示を行うとともにスピーカ４から適宜の音声ガイドが行われるようにする。
【００２３】
カーナビ・カーステ装置１は、本体部３が、詳細を省略するが例えば外形寸法を車載装置の基準寸法として用いられるＤＩＮ規格に形成されてコンソールパネルに設置され、或いは車内の適宜の位置に設けられたクレードル等を介して自動車２内に設置される。本体部３には、制御処理部１０と、入力操作部１１と、大容量情報記憶部１２と、無線受信ユニット１３と、ＧＰＳ受信ユニット１４とが備えられる。本体部３には、スピーカ４からの出力を制御する音響情報出力制御部１５やモニタ５からの出力を制御する画像情報出力制御部１６が備えられる。
【００２４】
制御処理部１０は、制御部１７と、インタフェース部１８と、内部記憶部１９と、再生部２０或いは種々の制御部や機構部等によって構成されている。制御部１７は、ＣＰＵやＲＯＭ（ｒｅａｄ−ｏｎｌｙ  ｍｅｍｏｒｙ）或いはＲＡＭ（ｒａｎｄｏｍ−ａｃｃｅｓｓ  ｍｅｍｏｒｙ）等からなり、予め定めたプログラムに基づいてカーナビ・カーステ装置１の全体動作や各部の動作を制御するコントローラ機能や各部から入力された情報信号等の処理機能等を奏する。
【００２５】
制御処理部１０は、入力操作部１１によってカーナビ・カーステ装置１が後述する機能モードに設定された状態において、各部に対してそれぞれ所定の制御動作が行われるように制御信号を出力する。制御処理部１０は、カーナビ・カーステ装置１が所定の機能モードに設定された状態において、インタフェース部１８を介して各部や周辺装置との間で制御信号や情報信号の授受を行う。
【００２６】
インタフェース部１８は、制御処理部１０と接続されたカーナビ・カーステ装置１の各部或いはカーナビ・カーステ装置１と接続される周辺装置との間において、制御信号や情報信号等の授受が行われるようにする。内部記憶部１９は、例えば電池から供給される電力により記憶情報がバックアップされるＳＲＡＭ（ｓｔａｔｉｃ  ｒａｎｄｏｍ−ａｃｃｅｓｓ  ｍｅｍｏｒｙ）やフラッシュメモリ等の不揮発性メモリ（ｎｏｎ−ｖｏｌａｔｉｌｅ  ｍｅｍｏｒｙ）を備える。内部記憶部１９は、書き換えが可能なメモリであり、カーナビ・カーステ装置１への電源供給が停止された場合においても記憶した情報信号等が保持されるようにする。
【００２７】
再生部２０には、詳細を省略するが磁気ヘッドや光学ピックアップ等が備えられ、装填部に装填された記録媒体７から記憶情報を再生する。また、再生部２０は、大容量情報記憶部１２から読み出された所定のコンテンツや、ＧＰＳ受信ユニット１４によって受信したＧＰＳ信号に基づいて大容量情報記憶部１２から読み出された地図情報や音声ガイド情報等の再生処理を行う。
【００２８】
入力操作部１１は、詳細を省略するが、本体部３の前面部に設けられた操作パネルやリモートコントローラ等によって構成され、使用者によって適宜の入力操作が行われることによって制御処理部１０に対して種々の制御信号の入力処理を行うとともに各機能モードの設定状態を表示する。入力操作部１１は、例えばモニタ５の表示画面から適宜の信号入力を行ういわゆるタッチパネル装置や、音声によって信号入力を行うマイクロホン等の音声入力部或いはカメラによる画像入力部であってもよい。
【００２９】
入力操作部１１は、上述した各入力装置からの入力信号を認識解釈する機能を含めた音声認識装置や画像認識装置によって構成してもよく、また本体部３に対してオプションとして設けるようにしてもよい。入力操作部１１は、例えばカーナビゲーション機能やカーオーディオ機能或いはテレビ受信機能やビデオ再生機能毎にそれぞれ独立の操作部を構成するようにしてもよい。入力操作部１１は、例えば電源のオン・オフ操作と、カーナビ・カーステ装置１をカーナビゲーション機能として用いるカーナビゲーションモードと、放送の受信や記録媒体７からのコンテンツ再生を行うカーオーディオ機能として用いるカーオーディオモード或いは大容量情報記録部１２に記憶されたコンテンツの再生を行う記憶情報再生モード等のモード設定操作等を行う。
【００３０】
入力操作部１１は、各機能モードに設定した状態において、従来の単独装置においてそれぞれ行われていた各種の切換操作や調整操作、例えばチャンネル切換操作やコンテンツ選択操作或いはボリューム調整操作や輝度調整操作等を行う。入力操作部１１は、例えばカーナビゲーションモードの設定状態において、ルート設定操作や画像のスクロール操作等を行う。入力操作部１１は、記憶情報再生モードが、大容量情報記録部１２に記憶されたコンテンツを適宜選択する手動選択モードと、詳細を後述するように自動車２の搭乗者の座席位置情報に基づいてコンテンツを自動的に選択する自動選択モードとに切り換えられる。
【００３１】
なお、カーナビ・カーステ装置１においては、使用方法等を説明するガイダンス情報が内部記憶部１９に記憶される。カーナビ・カーステ装置１においては、入力操作部１１によってモード切替や種々の設定操作等を行う場合に、例えば本体部３の入力操作部１１に近接した部位に設けた小型のモニタ或いは車内に適宜設置したモニタ５等にガイダンス情報を表示するようにしてもよい。
【００３２】
大容量情報記憶部１２は、記録媒体としてハードディスク（ｈａｒｄ  ｄｉｓｃ）或いは読み出し専用光ディスク（ＣＤ−ＲＯＭ：ｃｏｍｐａｃｔ  ｄｉｓｃ  ｒｅａｄ−ｏｎｌｙ  ｍｅｍｏｒｙ）や多目的デジタル光ディスク（ＤＶＤ：ｄｉｇｉｔａｌ  ｖｅｒｓａｔｉｌｅ  ｄｉｓｃ）等の光ディスクを用いて、上述した制御処理部１０の内部記憶部１９よりも大容量の情報信号等を記憶することが可能なハードディスク装置や光ディスク装置によって構成される。大容量情報記憶部１２には、上述した記録媒体に、大容量のカーナビゲーション情報（以下、カーナビ情報と略称する。）や許可された音楽コンテンツや映像コンテンツが大量に記憶される。
【００３３】
大容量情報記憶部１２には、カーナビ情報として、従来のカーナビ装置と同様に、例えば道路地図情報や地名等の検索情報或いは自動経路計算等に用いられる交通規制情報や受信したＧＰＳ信号と自立航行センサの出力とによって求めた自車位置を地図上に表示する際の道路リンク情報（ＰＯＩ情報；ｐｏｉｎｔ  ｏｆ  ｉｎｔｅｒｅｓｔ情報）等の種々の情報が記憶される。大容量情報記憶部１２には、各コンテンツの記録制御のためのＴＯＣＳ（ｔｅｃｈｎｏｌｏｇｉｃａｌ  ａｉｄｅｓ  ｔｏ  ｃｒｅａｔｉｖｅ  ｔｈｏｕｇｈｔｓ）情報とともに適宜のインデックス情報が記録される。
【００３４】
ところで、再生装置においては、多数のコンテンツを格納することが可能な場合に、一般に各コンテンツに対して例えばアーティスト情報やジャンル情報を付加して容易に選択することを可能な機能が付されている。また、再生装置においては、使用者がしばしばお気に入りのコンテンツをアルバム化して用いるようにしている。カーナビ・カーステ装置１は、例えば自動車２に乗った家族の全員がそれぞれにコンテンツを楽しむ共用装置であることから、家族それぞれの希望に応じた選択操作が必要となる。
【００３５】
したがって、大容量情報記憶部１２には、各コンテンツ情報毎の一般的なインデックス情報とともに、各コンテンツ情報と自動車２に乗る家族とのかかわりを識別する家族インデックス情報が記憶される。この家族インデックス情報は、例えば家族のそれぞれが作成したコンテンツのアルバムを識別するアルバムインデックス情報として記憶され、このアルバムインデックス情報に基づいて所定のコンテンツが容易に検索可能とされる。
【００３６】
大容量情報記憶部１２は、例えばカーナビ・カーステ装置１をカーナビゲーション機能として用いるために入力操作部１１によってカーナビゲーション機能モードに設定することにより、上述したカーナビ情報が読み出されて制御処理部１０へと供給される。大容量情報記憶部１２は、例えばカーナビ・カーステ装置１をカーオーディオ機能として用いるために入力操作部１１によってカーオーディオ機能モードに設定しかつ記憶情報再生モードに設定することにより、上述したコンテンツが読み出されて制御処理部１０へと供給される。
【００３７】
無線受信ユニット１３は、従来のカーオーディオシステム装置と同様に、第１のアンテナ８によって受信したラジオ放送やテレビ放送等の受信電波を適宜処理して制御処理部１０へと出力する。受信電波は、カーナビ・カーステ装置１が入力操作部１１によってカーオーディオ機能モードの放送受信モードに設定することにより、スピーカ４やモニタ５から出力される。
【００３８】
ＧＰＳ受信ユニット１４は、上述したように従来のカーナビ装置と同様に第２のアンテナ９によって受信したＧＰＳ信号（Ｌ１帯のＣ／Ａコード：ｃｏｒｒｅｃｔｉｖｅ  ａｃｔｉｏｎ  ｃｏｄｅ）と詳細を省略する適宜の自立航行センサからの出力とに基づいて自車の緯度・経度情報を計算して自車位置情報を制御処理部１０へと出力する。カーナビ・カーステ装置１においては、この自車位置情報に基づいて制御処理部１０において大容量情報記憶部１２に記憶されたカーナビ情報との対応処理を行ってガイド情報をスピーカ４から出力するとともに地図画像をモニタ５に表示する。
【００３９】
音響情報出力制御部１５には、入力操作部１１によって設定された各機能モードにしたがって、再生部２０によって記録媒体７或いは大容量情報記憶部１２から再生されたコンテンツやガイド情報或いは無線受信ユニット１３によって受信した放送情報等の音響情報が、制御処理部１０を介して入力される。音響情報出力制御部１５は、この音響情報についてＤ／Ａ（ｄｉｇｉｔａｌ／ａｎａｌｏｇ）変換或いは入力操作部１１によって設定されたボリュームや音質等の調整等を行ってスピーカ４から出力させる。
【００４０】
画像情報出力制御部１６にも、入力操作部１１によって設定された各機能モードにしたがって、再生部２０によって記録媒体７或いは大容量情報記憶部１２から再生された映像コンテンツや無線受信ユニット１３によって受信したテレビ放送等の画像情報が、制御処理部１０を介してから出力される。画像情報出力制御部１６は、この画像情報について入力操作部１１によって設定された輝度の調整等を行ってモニタ４から出力させる。
【００４１】
画像情報出力制御部１６は、具体的には上述した各画像情報に基づいて制御処理部１０で生成した画像イメージデータが供給され、この画像イメージデータから画像データを生成してモニタ４に出力する。画像情報出力制御部１６は、表示画素数（表示解像度）に応じた画面同期信号等のタイミング信号の生成、複数の画像データの合成或いは表示範囲制御等の機能も奏するようにしてもよい。画像情報出力制御部１６は、表示データを保持するデータ記憶部も保有しているが、このデータ記憶部については例えば制御処理部１０の内部記憶部１９にその機能を保有させるようにしてもよい。
【００４２】
座席センサ６は、運転席センサ６Ａと、助手席センサ６Ｂと、右後部座席センサ６Ｃと、左後部座席センサ６Ｄから構成され、搭乗者が各座席に座った状態を検出して制御処理部１０に対して検出信号を出力する。座席センサ６には、着座領域をカバーする赤外線センサや感熱センサが用いられる。座席センサ６には、例えば各座席のシート内に設置されて人物が座った状態を検出する圧力センサが用いられる。圧力センサは、感度調整を可能とし或いは圧力検出を可能とする仕様を有するものを用いることによって、座席に座った人物が大人か子供かを識別可能とするようにしてもよい。
【００４３】
座席センサ６は、例えば自動車２に家族が乗ってドライブ旅行を行う場合に各座席に座る人物がほぼ決まっていることから、出力の有無によって搭乗者を識別する識別信号を制御処理部１０に対して出力することになる。カーナビ・カーステ装置１においては、記憶情報再生モードに設定した状態において、入力操作部１１によって各座席センサ６の優先順位やその変更或いは有効・無効の設定操作が行われる。
【００４４】
以上のように構成されたカーナビ・カーステ装置１においては、キー操作によりアクセサリー電源がオン操作された状態で使用可能となる。カーナビ・カーステ装置１においては、入力操作部１１によって希望する所定のモードに設定操作することにより、ラジオ放送の受信モード、テレビ放送の受信モード、記録媒体７からの音響情報や画像情報の再生モード、大容量情報記憶部１２からの音響情報や画像情報の再生モード或いはカーナビゲーション機能モードに切換操作される。カーナビ・カーステ装置１においては、スピーカ４やモニタ５から、所定の音響情報や画像情報の出力が行われる。
【００４５】
すなわち、カーナビ・カーステ装置１においては、図４に示すように、電源オン・オフの検出が行われ（ｓ−１）、電源オンの状態において入力操作部１１によって希望の機能モードに設定するモード選択操作が行われる（ｓ−２）。カーナビ・カーステ装置１においては、このモード選択操作が行われない場合には、従前に設定された機能モードによる動作が行われる（ｓ−３）。
【００４６】
カーナビ・カーステ装置１においては、入力操作部１１によって第１モードの設定操作を行うと（ｓ−４）、ラジオ放送の受信モードの設定が行われる（ｓ−５）。カーナビ・カーステ装置１においては、入力操作部１１によってチューニング操作を行って希望のラジオ放送を受信する。カーナビ・カーステ装置１においては、入力操作部１１によって第２モードの設定操作を行うと（ｓ−６）、テレビ放送の受信モードの設定が行われる（ｓ−７）。カーナビ・カーステ装置１においては、入力操作部１１によってチューニング操作を行って希望のテレビ放送を受信する。
【００４７】
カーナビ・カーステ装置１においては、入力操作部１１によって第３モードの設定操作を行うと（ｓ−８）、装填部に装填した記録媒体７から音響情報を再生したり、画像情報を再生する記録媒体再生モードの設定が行われる（ｓ−９）。カーナビ・カーステ装置１においては、装填部に記録媒体７が装填されていない状態では、そのまま記録媒体再生モードが待機状態に保持される。
【００４８】
カーナビ・カーステ装置１においては、入力操作部１１によって第４モードの設定操作を行うと（ｓ−１０）、大容量情報記憶部１２に記憶された音響情報や画像情報等のコンテンツを再生する記憶情報再生モードの設定が行われる（ｓ−１１）。カーナビ・カーステ装置１においては、上述したようにこのコンテンツ情報再生モードにおいて、さらにコンテンツの手動選択モードと自動選択モードとの切換操作が行われる。
【００４９】
カーナビ・カーステ装置１においては、入力操作部１１によって第５モードの設定操作を行うと（ｓ−１２）、上述した現在位置情報に応じて大容量情報記憶部１２に記憶されたカーナビ情報が出力されるカーナビゲーション機能モードの設定が行われる（ｓ−１３）。また、カーナビ・カーステ装置１においては、このカーナビゲーション機能モードの設定状態において、目的地のルート設定操作やルート表示も行われる。
【００５０】
カーナビ・カーステ装置１においては、上述した各モードの設定操作が、第１モードから第５モードまでスクロール方式によって行われるようにしてもよく、また直接指定するようにしてもよい。カーナビ・カーステ装置１においては、設定したモードを途中で終了する場合には（ｓ−１４）、入力操作部１１によって終了操作が行われる（ｓ−１５）。なお、各モードの終了操作は、入力操作部１１によって他のモードの設定操作が行われた場合に、自動的に行われる。記録媒体再生モードにおいては、記録媒体７のイジェクト操作を行うことによって、そのモード以前に設定していたモードに自動設定される。
【００５１】
カーナビ・カーステ装置１においては、上述した操作例に限定されるものではなく、従来のカーナビゲーション装置やカーオーディオ装置に採用されている種々の操作方法が適用されることは勿論である。カーナビ・カーステ装置１においては、上述した手順にしたがって各モードに切換操作が行われた場合に、既設定モードが中断した状態で保持されるようにして、再度モード設定が行われた場合にボリューム等の再調整操作を不要とするとともに中断状態から引き続いてコンテンツ等の再生操作が行われる。
【００５２】
カーナビ・カーステ装置１においては、記憶情報再生モードに設定した状態において、大容量情報記憶部１２に記憶されたコンテンツの再生操作が行われる。カーナビ・カーステ装置１においては、上述したように大容量情報記憶部１２内に所定のインデックス情報を付されたコンテンツとともに、複数人の搭乗者、すなわち家族の各人がそれぞれのお気に入りのコンテンツを集め家族インデックス情報を付してアルバム化してなる多数のアルバムコンテンツも記憶されている。カーナビ・カーステ装置１においては、記憶情報再生モードで自動選択モードに設定した状態において、座席センサ６から出力された検出信号に基づいて上述したアルバムコンテンツが自動的に選択されて再生操作が行われる。
【００５３】
すなわち、カーナビ・カーステ装置１においては、図５に示すように、電源オン・オフの検出が行われ（ｐ−１）、電源オンの状態において記憶情報再生モードの設定状態の検出が行われる（ｐ−２）。カーナビ・カーステ装置１においては、記憶情報再生モードの非設定状態において、記憶情報再生モードの設定要否が判断され（ｐ−３）、設定不要と判断した場合には既設定モードのまま或いは上述した手順にしたがって他のモードの設定操作が行われる（ｐ−４）。
【００５４】
カーナビ・カーステ装置１においては、上述した手順により既に記憶情報再生モードに設定され或いは記憶情報再生モードに設定すると判断した場合に、自動選択モードの設定状態が検出される（ｐ−５）。カーナビ・カーステ装置１においては、自動選択モードの非設定状態において、自動選択モードの設定要否が判断され（ｐ−６）、設定不要と判断した場合には手動選択モードによって大容量情報記憶部１２に記憶されたコンテンツが適宜選択されてその再生操作が行われる（ｐ−７）。なお、カーナビ・カーステ装置１においては、例えばランダム選択モードの選択も行われて、大容量情報記憶部１２に記憶されたコンテンツがランダム選択されてその再生操作が行われるようにしてもよい。
【００５５】
カーナビ・カーステ装置１においては、自動選択モードに設定すると判断した場合には、入力操作部１１によって自動選択モードの設定操作が行われる（ｐ−８）。カーナビ・カーステ装置１においては、自動選択モードに設定されることにより、座席センサ６から制御処理部１０に出力された検出信号に基づいて、大容量情報記憶部１２からアルバムコンテンツが自動的に選択されて再生操作が行われる。カーナビ・カーステ装置１においては、上述したように各座席の優先順位が決定され、その情報が制御処理部１０に記憶されている。
【００５６】
カーナビ・カーステ装置１においては、例えば子供優先でアルバムコンテンツを再生するように設定されており、右後部座席が第１位、左後部座席が第２位、助手席が第３位、運転席が第４位に設定される。また、カーナビ・カーステ装置１においては、大容量情報記憶部１２内に、右後部座席に座る子供のアルバムコンテンツにアルバム１のインデックス、右後部座席に座る子供のアルバムコンテンツにアルバム２のインデックス、助手席に座る妻のアルバムコンテンツにアルバム３のインデックス、そして運転席に座る夫のアルバムコンテンツにアルバム４のインデックスが付されてそれぞれ記憶されている。
【００５７】
カーナビ・カーステ装置１においては、右後部座席センサ６Ｃの出力の有無が検出される（ｐ−９）。カーナビ・カーステ装置１においては、この座席センサ６Ｃによって右後部座席に子供が座っている状態が検出されると、大容量情報記憶部１２からアルバム１が自動選択されて収録されたコンテンツが順次再生される（ｐ−１０）。カーナビ・カーステ装置１においては、右後部座席に子供が座っておらず右後部座席センサ６Ｃからの出力が検出されない場合に、左後部座席センサ６Ｄの出力の有無が検出される（ｐ−１１）。カーナビ・カーステ装置１においては、この座席センサ６Ｄによって左後部座席に子供が座っている状態が検出されると、大容量情報記憶部１２からアルバム２が自動選択されて収録されたコンテンツが順次再生される（ｐ−１２）。
【００５８】
カーナビ・カーステ装置１においては、後部座席に子供等が座っておらず右後部座席センサ６Ｃ及び左後部座席センサ６Ｄからの出力が検出されない場合に、助手席センサ６Ｂの出力の有無が検出される（ｐ−１３）。カーナビ・カーステ装置１においては、この座席センサ６Ｂによって助手席に妻が座っている状態が検出されると、大容量情報記憶部１２からアルバム３が自動選択されて収録されたコンテンツが順次再生される（ｐ−１４）。カーナビ・カーステ装置１においては、助手席センサ６Ｂの出力も検出されない場合に、運転手のみが乗車しており大容量情報記憶部１２からアルバム４が自動選択されて収録されたコンテンツが順次再生される（ｐ−１５）。
【００５９】
カーナビ・カーステ装置１においては、上述した各アルバムの再生操作が終了し或いは途中で終了させる場合には（ｐ−１６）、入力操作部１１によって終了操作が行われる（ｐ−１７）。なお、各アルバムの再生操作は、入力操作部１１によって他のモードの設定操作が行われた場合に、自動的に終了する。カーナビ・カーステ装置１においては、上述した手順によってアルバムの自動再生操作を行う場合に運転席センサ６Ａが機能していないが、例えば各座席毎の優先順位を設定する際に運転席センサ６Ａの出力を上位とした場合には、当然に必要とされる。
【００６０】
なお、カーナビ・カーステ装置１においては、上述したように入力操作部１１によって各座席センサ６Ａ乃至６Ｄの優先順位を適宜設定することが可能とされるとともに、例えば一部の座席センサ６の出力を無効とするように設定することも可能である。
【００６１】
カーナビ・カーステ装置１においては、各座席に対して順位付けを行うようにしたが、上述したように座席センサ６に感度調整を可能とし或いは圧力検出を可能とする仕様の圧力センサも用いられる。カーナビ・カーステ装置１は、圧力センサによって座席に座った人物の体重を測定し、その測定結果に基づいて大人か子供かを識別して優先順位の設定が行われる。
【００６２】
カーナビ・カーステ装置１においては、上述したように搭乗者を識別する座席センサ６の出力に基づいて大容量情報記憶部１２に記憶した各搭乗者毎のアルバムの再生制御を行うようにしたが、かかる使用例に限定されるものでは無い。カーナビ・カーステ装置１においては、例えば子供が同乗した場合に、大容量情報記憶部１２に記憶した子供向け映画が自動再生されることも可能である。
【００６３】
【発明の効果】
以上詳細に説明したように本発明によれば、カーナビゲーション機能とカーオーディオシステム機能とを備えることによって、効率のよいかつ搭乗者にとって退屈しない快適なドライブを行うことを可能とする。本発明によれば、少なくとも地図情報と音響情報や画像情報からなる多数の記憶情報とこれら記憶情報の再生順序を制御する再生制御情報とが大容量の情報記録特性を有する記憶手段に記憶されるとともに、各座席に搭乗者を識別して搭乗者情報を出力する座席情報検出手段を設けてなり、再生処理手段において搭乗者情報と再生制御情報とに基づいて記憶手段から所定の記憶情報を選択して再生操作を行うように構成したことから、大量の記憶情報の中から煩わしい選択操作の手間を不要として最適な記録情報を選択して再生することが可能となる。本発明によれば、家族でのドライブ等に際して、子供向きのコンテンツを順次視聴することを可能とする。
【図面の簡単な説明】
【図１】自動車における実施の形態として示すカーナビ・カーステ装置の搭載例を説明する要部平面図である。
【図２】同要部側面図である。
【図３】カーナビ・カーステ装置の要部構成図である。
【図４】モード切換操作の手順を説明する図である。
【図５】座席情報に基づく記憶情報の選択操作の手順を説明する図である。
【符号の説明】
１  カーナビ・カーステ装置、２  自動車、３  本体部、４  スピーカ、５  モニタ、６  座席センサ、７  記録媒体、８  第１のアンテナ、９  第２のアンテナ、１０  制御処理部、１１  入力操作部、１２  大容量情報記憶部、１３  無線受信ユニット、１４  ＧＰＳ受信ユニット、１５  音響情報出力制御部、１６  画像情報出力制御部、１７  制御部、１８  インターフェース部、１９  内部記憶部、２０  再生部
【図１】
2004340884.tif 000003
【図２】
2004340884.tif 000004
【図３】
2004340884.tif 000005
【図４】
2004340884.tif 000006
【図５】
2004340884.tif 000007